(57)【要約】【課題】発熱体からの熱を積極的に放熱することが可能な照明装置の放熱構造および照明装置を提供する。【解決手段】本発明の発光素子を用いた照明装置の放熱構造は、環状に配置された発光素子を含む発熱体の中心部に設けられ、環状に配置された発光素子の中心軸方向に延設される中空のヒートシンクと、ヒートシンクの内部に設けられる中空の内部ヒートシンクと、を備え、ヒートシンクの中心を通るヒートシンクの内周面から内部ヒートシンクの外周面までの距離は不均一であることを特徴とする。【選択図】図３
2013127877.tif 000002
【特許請求の範囲】
【請求項１】
発光素子を用いた照明装置の放熱構造であって、
環状に配置された発光素子を含む発熱体の中心部に設けられ、前記環状に配置された発光素子の中心軸方向に延設される中空のヒートシンクと、
前記ヒートシンクの内部に設けられる中空の内部ヒートシンクと、
を備え、
前記ヒートシンクの中心を通る前記ヒートシンクの内周面から前記内部ヒートシンクの外周面までの距離は不均一であることを特徴とする、照明装置の放熱構造。
【請求項２】
前記中心軸方向からみた前記ヒートシンクの平面形状は円形であり、前記内部ヒートシンクの平面形状は長径および短径を有する楕円形または多角形であることを特徴とする、請求項１に記載の照明装置の放熱構造。
【請求項３】
光を出射する発光素子と、
前記発光素子が環状に配置された発光素子基板と、
前記発光素子が配置された前記発光素子基板を覆うグローブ部と、
前記環状に配置された発光素子を含む発熱体の中心部に設けられ、前記環状に配置された発光素子の中心軸方向に延設される中空のヒートシンクと、
前記ヒートシンクの内部に設けられる中空の内部ヒートシンクと、
を備え、
前記ヒートシンクの中心を通る前記ヒートシンクの内周面から前記内部ヒートシンクの外周面までの距離は不均一であることを特徴とする、照明装置。
【請求項４】
発光素子を用いた照明装置の放熱構造であって、
環状に配置された発光素子を含む発熱体の中心部に設けられ、前記環状に配置された発光素子の中心軸方向に延設される中空のヒートシンクと、
前記ヒートシンクの内周面から延設される１または複数のフィンと、
を備え、
前記ヒートシンクの中心を通る前記ヒートシンクの内周面間の距離は不均一であることを特徴とする、照明装置の放熱構造。
【請求項５】
前記ヒートシンクの内周面に設けられる複数のフィンのうち少なくとも１つは他のフィンの径方向の長さと異なることを特徴とする、請求項４に記載の照明装置の放熱構造。
【請求項６】
前記各フィンは、前記ヒートシンクの内周面から中心に向かって周方向に放射状に配置されることを特徴とする、請求項４または５に記載の照明装置の放熱構造。
【請求項７】
前記各フィンは、前記ヒートシンクの内周面から内部空間に向かって一方向に延設されることを特徴とする、請求項４または５に記載の照明装置の放熱構造。
【請求項８】
光を出射する発光素子と、
前記発光素子が環状に配置された発光素子基板と、
前記発光素子が配置された前記発光素子基板を覆うグローブ部と、
前記環状に配置された発光素子を含む発熱体の中心部に設けられ、前記環状に配置された発光素子の中心軸方向に延設される中空のヒートシンクと、
前記ヒートシンクの内周面から延設される１または複数のフィンと、
を備え、
前記ヒートシンクの中心を通る前記ヒートシンクの内周面間の距離は不均一であることを特徴とする、照明装置。
【発明の詳細な説明】
【技術分野】
【０００１】
本発明は、発光素子を用いた照明装置の放熱構造およびこれを備えた照明装置に関する。
【背景技術】
【０００２】
発光素子を用いた照明装置において、従来、発光素子からの発熱を放熱するヒートシンクは、発光素子を実装した基板の裏面にのみに配置されている。しかしながら、放熱効率が十分ではないために生じる照明装置の性能低下を回避するため、照明装置の放熱効率を向上させる対策が行われている。例えば特許文献１には、半導体発光素子を支持する基板を支持する放熱体と、半導体発光素子の周囲に配置された放熱機能を有する反射体とにより、発光素子の熱を効率よく放熱する構成を有する照明装置が開示されている。
【先行技術文献】
【特許文献】
【０００３】
【特許文献１】特開２００９−１２９８０９号公報
【発明の概要】
【発明が解決しようとする課題】
【０００４】
しかし、放熱面積が増加してもヒートシンク付近に熱が滞留してしまうと十分な放熱効果を得ることができないという問題があった。
【０００５】
そこで、本発明は、上記問題に鑑みてなされたものであり、本発明の目的とするところは、発熱体からの熱を積極的に放熱することが可能な、新規かつ改良された照明装置の放熱構造および照明装置を提供することにある。
【課題を解決するための手段】
【０００６】
上記課題を解決するために、本発明のある観点によれば、発光素子を用いた照明装置の放熱構造が提供される。本発明の照明装置の放熱構造は、環状に配置された発光素子を含む発熱体の中心部に設けられ、環状に配置された発光素子の中心軸方向に延設される中空のヒートシンクと、ヒートシンクの内部に設けられる中空の内部ヒートシンクと、を備え、ヒートシンクの中心を通るヒートシンクの内周面から内部ヒートシンクの外周面までの距離は不均一であることを特徴とする。
【０００７】
ここで、中心軸方向からみたヒートシンクの平面形状は円形であり、内部ヒートシンクの平面形状は長径および短径を有する楕円形または多角形であってもよい。
【０００８】
また、上記課題を解決するために、本発明の別の観点によれば、光を出射する発光素子と、発光素子が環状に配置された発光素子基板と、発光素子が配置された発光素子基板を覆うグローブ部と、環状に配置された発光素子を含む発熱体の中心部に設けられ、環状に配置された発光素子の中心軸方向に延設される中空のヒートシンクと、ヒートシンクの内部に設けられる中空の内部ヒートシンクと、を備え、ヒートシンクの中心を通るヒートシンクの内周面から内部ヒートシンクの外周面までの距離は不均一であることを特徴とする、照明装置が提供される。
【０００９】
さらに、上記課題を解決するために、本発明の別の観点によれば、発光素子を用いた照明装置の放熱構造が提供される。本発明の照明装置の放熱構造は、環状に配置された発光素子を含む発熱体の中心部に設けられ、環状に配置された発光素子の中心軸方向に延設される中空のヒートシンクと、ヒートシンクの内周面から延設される１または複数のフィンと、を備え、ヒートシンクの中心を通るヒートシンクの内周面間の距離は不均一であることを特徴とする。
【００１０】
ここで、ヒートシンクの内周面に設けられる複数のフィンのうち少なくとも１つは他のフィンの径方向の長さと異なるように形成してもよい。
【００１１】
また、各フィンは、ヒートシンクの内周面から中心に向かって周方向に放射状に配置してもよい。あるいは、各フィンは、ヒートシンクの内周面から内部空間に向かって一方向に延設してもよい。
【００１２】
また、上記課題を解決するために、本発明の別の観点によれば、光を出射する発光素子と、発光素子が環状に配置された発光素子基板と、発光素子が配置された発光素子基板を覆うグローブ部と、環状に配置された発光素子を含む発熱体の中心部に設けられ、環状に配置された発光素子の中心軸方向に延設される中空のヒートシンクと、ヒートシンクの内周面から延設される１または複数のフィンと、を備え、ヒートシンクの中心を通るヒートシンクの内周面間の距離は不均一であることを特徴とする、照明装置が提供される。
【発明の効果】
【００１３】
以上説明したように本発明によれば、発熱体からの熱を積極的に放熱することが可能な照明装置の放熱構造および照明装置を提供することができる。
【図面の簡単な説明】
【００１４】
【図１】本発明の第１の実施形態に係る照明装置を示す平面図および側面図である。
【図２】図１の照明装置のＡ−Ａ切断線における断面図である。
【図３】同実施形態に係る第２のヒートシンクおよび第３のヒートシンクを示す平面図である。
【図４】同実施形態に係る第２のヒートシンクおよび第３のヒートシンクの一変形例を示す平面図である。
【図５】本発明の第２の実施形態に係る第２のヒートシンクを示す平面図である。
【図６】同実施形態に係る第２のヒートシンクの一変形例を示す平面図である。
【図７】同実施形態に係る第２のヒートシンクの他の変形例を示す平面図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．第１の実施形態＞
まず、図１〜図３を参照して、本発明の第１の実施形態に係る照明装置１００の構成について説明する。なお、図１は、本実施形態に係る照明装置１００を示す平面図および側面図である。図２は、図１の照明装置１００のＡ−Ａ切断線における断面図である。図３は、本実施形態に係る第２のヒートシンク１４０および第３のヒートシンク１６０を示す平面図である。
【００１７】
［１−１．照明装置の構成］
本実施形態に係る照明装置１００は、図１および図２に示すように、光を出射する発光素子１１２と、発光素子１１２が搭載された発光素子基板１１０と、発光素子基板１１０が取り付けられた第１のヒートシンク１２０と、第１のヒートシンク１２０に取り付けられた発光素子基板１１０を覆うグローブ部１３０と、グローブ部１３０の中央部分に設けられた第２のヒートシンク１４０および第３のヒートシンク１６０とからなる。発光素子基板１１０と第１のヒートシンク１２０との間には、放熱効果を高める円盤状の金属基板１５０が設けられている。
【００１８】
発光素子１１２には、例えばＬＥＤ（Ｌｉｇｈｔ  Ｅｍｉｔｔｉｎｇ  Ｄｉｏｄｅ；発光ダイオード）を用いることができる。本実施形態に係る照明装置１００において、発光素子１１２は、発光素子基板１１０上に環状に複数個（例えば、１２個）等間隔に配置される。発光素子基板１１０は、例えばアルミニウム基板であり、発光素子基板１１０が金属基板１５０を介して固定される第１のヒートシンク１１０の形状に対応して円盤状となっている。なお、本実施形態では、発光素子１１２およびこれらを備える発光素子基板１１０を発熱体と称する。発熱体は、少なくとも発光素子１１２を含むものとし、発光素子基板１１０は必ずしも発熱体として考慮しなくてもよい。また、照明装置１００の熱源としては発光素子１１２を含む発熱体の他に、電源回路（図示せず。）がある。
【００１９】
第１のヒートシンク１２０は、照明装置１００の熱源からの熱を放熱する部材である。第１のヒートシンク１２０は、図１および図２に示すように、円筒の本体部１２２に複数のフィン１２３を備える。第１のヒートシンク１２０は、例えばアルミニウム等の金属材料から形成してもよく、プラスチック等の樹脂材料により形成してもよく、本体部１２２とフィン１２３とを別材料で形成してもよい。
【００２０】
本体部１２２の一端（ｚ軸負方向側の端部）には口金（図示せず。）が設けられ、本体部１１２の他端（ｚ軸正方向側の端部）には発光素子基板１１０を保持するフランジ部１２４が設けられている。フランジ部１２４の外周には、発光素子基板１１０の外周を囲むように、本体部１２２の延設方向（ｚ方向）発光素子基板１１０の配置（正方向）側に向かって突出する縁部１２４ａが形成されている。フランジ部１２４の上面１２４ｂには、発光素子基板１１０が金属基板１５０を介して載置される。金属基板１５０としては、例えばアルミニウム基板を用いることができる。
【００２１】
第１のヒートシンク１２０の本体部１２２の内部空間１２６には、電源回路（図示せず。）が設けられる。本体部１２２が金属材料から形成されている場合、電源回路を本体部１２２と絶縁するために本体部１２２の内面に樹脂材料からなる樹脂層１２７が設けられる。あるいは、本体部１２２が金属材料から形成されている場合、電源回路を本体部１２２と絶縁するために絶縁ケース（図示せず。）を介して内部空間１２６に収納してもよい。
【００２２】
第１のヒートシンク１２０は、発光素子１１２から発光素子基板１１０および金属基板１５０を介して伝達される、発光素子１１２を含む発熱体からの熱を放熱するとともに、電源回路からの熱を放熱する。本体部１２２の外周面に複数のフィン１２３を設けることにより、放熱面積が増加し、放熱効率を高めることができる。
【００２３】
グローブ部１３０は、第１のヒートシンク１２０に取り付けられた発光素子基板１１０を覆い、発光素子１１２の出射する光を透過する部材から形成されるカバー部材である。グローブ部１３０は、例えば透過性を有するガラスや樹脂等から形成することができる。グローブ部１３０は、略半球状の曲面を有するように形成され、その中央部分には、開口部１３２が形成されている。開口部１３２の中心は、発光素子基板１１０に環状に配置された複数の発光素子１１２の中心を通り発光素子基板１１０に対して垂直な基軸Ｃ上にある。開口部１３２には第２のヒートシンク１４０が挿入される。
【００２４】
第２のヒートシンク１４０は、発光素子１１２を含む発熱体からの熱を放熱する部材（ヒートシンク）である。第２のヒートシンク１４０は、図２に示すように、円筒部１４２と、底部１４４とからなる。円筒部１４２は、開口するｚ軸正方向側の一端がグローブ部１３０の開口部１３２と接続されている。底部１４４は、発熱体からの熱が伝達され易くするために発光素子基板１１０の上面と接触して設けられる。第２のヒートシンク１４０も、例えばアルミニウム等の金属材料から形成してもよく、プラスチック等の樹脂材料により形成してもよい。第２のヒートシンク１４０を設けることで、放熱面積がさらに増加し、放熱効率を高めることができる。
【００２５】
第３のヒートシンク１６０は、第２のヒートシンク１４０の円筒部１４２の内部空間１４６に挿通される筒状の中空部材（内部ヒートシンク）である。第３のヒートシンク１６０は、図２に示すように、一端が第２のヒートシンク１４０の底部１４４に接触している。また、第３のヒートシンク１６０の他端は、第２のヒートシンク１４０の延設方向（ｚ方向）において、グローブ部１３０の開口部１３２と第２のヒートシンク１４０の一端との接続部分と略同一位置にある。第３のヒートシンク１６０の平面形状は、図３に示すように略楕円形である。これは、第２のヒートシンク１４０と円筒部１４２の内周面１４２ａと第３のヒートシンク１６０の外周面とにより形成される空間１４６の形状を、第２のヒートシンク１４０の中心Ｏを通るｚ軸に平行な平面に対して少なくとも非対称となる場合があるようにするためである。なお、第２のヒートシンク１４０および第３のヒートシンク１６０による放熱構造の詳細な説明は後述する。
【００２６】
［１−２．放熱構造］
本実施形態に係る照明装置１００は、発光素子１１２を含む発熱体や電源回路からの熱を放熱するための放熱構造として、第１のヒートシンク１２０、第２のヒートシンク１４０および第３のヒートシンク１６０を備えている。ここで、第１のヒートシンク１２０は発熱体を基準として基軸Ｃの一側（ｚ軸負方向側）に設けられ、第２のヒートシンク１４０および第３のヒートシンク１６０は発熱体を基準として基軸Ｃの他側（ｚ軸正方向側）に設けられる。このように、発熱体を基準として基軸Ｃの上下方向にヒートシンク１２０、１４０をそれぞれ設けることにより放熱面積が増加し、放熱効率を高めることができる。
【００２７】
ここで、発熱体を基準として基軸Ｃの他側（ｚ軸正方向側）における放熱構造について考えると、平面形状が円形の第２のヒートシンク１４０による放熱の温度分布は、円筒部１４２の内周面から中心に向かって低くなるように環状の分布となる。このように温度分布が一様の場合、空気が対流にし難く熱が滞留する傾向にある。そうすると発熱体からの熱がヒートシンクを介して外部に放熱されても照明装置１００近辺にその熱が滞留することになり、十分な放熱効果を得ることができない。
【００２８】
そこで、本実施形態では、第２のヒートシンク１４０の内部に当該第２のヒートシンク１４０と異なる平面形状を有する第３のヒートシンク１６０を設ける。すなわち、第２のヒートシンク１４０の中心Ｏを通り、第２のヒートシンク１４０の内周面１４２ａから第３のヒートシンク１６０の外周面１６２ｂまでの距離が不均一となるように、第２のヒートシンク１４０および第３のヒートシンク１６０を設ける。第３のヒートシンク１６０は上述したように略楕円形の平面を有している。第２のヒートシンク１４０と第３のヒートシンク１６０との形状の違いにより、部分的に放熱効率に差が生じ、その結果、各ヒートシンク１４０、１６０による放熱の温度分布に違いが生じる。そうすると、第２のヒートシンク１４０の内周面１４２ａと第３のヒートシンク１６０の外周面１６０ｂとで形成される内部空間１４６に対流が発生する。
【００２９】
本実施形態では、図３に示すように、第２のヒートシンク１４０の内周面１４２ａから第３のヒートシンク１６０の外周面１６０ｂまでの距離が短いＬ１部分では空気が流入し易い。一方、第２のヒートシンク１４０の内周面１４２ａから第３のヒートシンク１６０の外周面１６０ｂまでの距離長いＬ２部分では空気が流出し易い。このように、内部空間１４６で空気の流入および流出が自然に発生するような放熱構造によって、熱の滞留を防ぎ、積極的に熱を外部へ放出して放熱効率を向上させることができる。また、第２のヒートシンク１４０に加え第３のヒートシンク１６０を設けることで、放熱面積がさらに増加し、放熱効率をより高めることができる。
【００３０】
［１−３．変形例］
本実施形態の図３に示す放熱構造では、第２のヒートシンク１４０の平面形状は円形であったが本発明はかかる例に限定されない。図４に発熱体を基準として基軸Ｃの他側（ｚ軸正方向側）における放熱構造の変形例を示す。図４に示す例では、第２のヒートシンク２４０の平面形状を六角形とし、第３のヒートシンク２６０の平面形状を略楕円形としている。第２のヒートシンク２４０の平面形状は、六角形以外の多角形であってもよい。
【００３１】
この場合も、図３に示す放熱構造と同様に、第２のヒートシンク２４０の内周面２４２ａから第３のヒートシンク２６０の外周面２６０ｂまでの距離が短いＬ１部分では空気が流入し易い。一方、第２のヒートシンク２４０の内周面２４２ａから第３のヒートシンク２６０の外周面２６０ｂまでの距離長いＬ２部分では空気が流出し易い。このように、内部空間２４６で空気の流入および流出が自然に発生するような放熱構造によって、熱の滞留を防ぎ、積極的に熱を外部へ放出して放熱効率を向上させることができる。
【００３２】
以上、本発明の第１の実施形態に係る照明装置１００とその放熱構造について説明した。本実施形態によれば、発熱体を基準として基軸Ｃの他側（ｚ軸正方向側）における放熱構造について、第２のヒートシンク１４０の中心Ｏを通る、第２のヒートシンク１４０の内周面１４０ａと第３のヒートシンク１６０の外周面１６０ｂとの距離を不均一とすることする。これにより、内部空間１４６に対流が発生し、放熱効率を向上させることができる。
【００３３】
なお、本実施形態では、第３のヒートシンク１６０、２６０の平面形状は楕円形であったが、本発明はかかる例に限定されず、例えば多角形であってもよい。
【００３４】
＜２．第２の実施形態＞
次に、図５を参照して、本発明の第２の実施形態に係る照明装置の放熱構造について説明する。なお、図５は、本実施形態に係る第２のヒートシンク３４０を示す平面図である。本実施形態に係る照明装置の第２のヒートシンク３４０は、図１および図２に示した第１の実施形態に係る照明装置１００の第２のヒートシンク１４０および第３のヒートシンク１６０の代わりに設けることができる。以下、本実施形態の、発熱体を基準として基軸Ｃの他側（ｚ軸正方向側）における放熱構造について、詳細に説明する。なお、本実施形態に係る第２のヒートシンク３４０を設けることの可能な照明装置は、第１の実施形態に係る照明装置１００と同一であるため、ここではその説明を省略する。
【００３５】
［２−１．放熱構造］
本実施形態に係る照明装置は、発光素子を含む発熱体や電源回路からの熱を放熱するための放熱構造として、図１および図２に示す第１のヒートシンク１２０と、図３に示す第２のヒートシンク３４０とを備えている。第１のヒートシンク１２０の構成は第１の実施形態と同一であるとする。
【００３６】
第２のヒートシンク３４０は、第１の実施形態に係る第２のヒートシンク１４０と同様に円筒部３４２と、底部３４４とを有し、さらに、円筒部３４２の内周面３４２ａから第１のヒートシンク３４０の中心Ｏに向かって延びる複数のフィン３４５（例えば１２個のフィン３４５ａ〜３４５ｌ）が設けられている。各フィン３４５ａ〜３４５ｌは、図１および図２に示す第１のヒートシンク１２０のフィン１２３のような流線形であってもよく、略長方形の板状部材であってもよい。また、図５に示す例では、フィン３４５は周方向に等間隔に設けられているが、本発明はかかる例に限定されず、隣接するフィン３４５の間隔は適宜変更可能である。
【００３７】
第２のヒートシンク３４０の各フィン３４５ａ〜３４５ｌの径方向の長さＬは、図５に示すように全て同一ではなく、少なくとも１つが異なるように設定される。図５に示す例では、対向するフィンの長さが同一となっている。そして、長さＬが最大のフィン３４５ａ、３４５ｇに隣接するフィン３４５ｂ、３４５ｆ、３４５ｈ、３４５ｌ、さらにこれらに隣接するフィン３４５ｃ、３４５ｅ、３４５ｉ、３４５ｋの順に径方向の長さＬが短くなり、フィン３４５ｄ、３４５ｊで径方向の長さＬは最小となっている。
【００３８】
フィン３４５の径方向の長さＬを相違させることで、第２のヒートシンク３４０の中心Ｏを通る内周面３４２ａ間の長さが相違する。例えば、フィン３４５が形成されていない部分であれば内周面３４２ａ間の長さは第２のヒートシンク３４０の直径Ｄとなる。また、フィン３４５が形成されている部分においては、径方向の長さＬが最大のフィン３４５ａ、３４５ｇ間の長さｄ１が最小となり、径方向の長さＬが最小のフィン３４５ｄ、３４５ｊ間の長さｄ２が最大となる。
【００３９】
このように、第２のヒートシンク３４０の内部空間３４６の形状を、中心Ｏを通るｚ軸に平行な平面に対して少なくとも非対称となる場合があるように、不均一に形成する。すなわち、第２のヒートシンク３４０の中心Ｏを通り、第２のヒートシンク３４０の内周面３４２ａ間の距離が不均一となるように、第２のヒートシンク３４０を形成する。これにより、第２のヒートシンク３４０の放熱部分によって放熱効率に差が生じ、その結果、放熱の温度分布が不均一となる。そうすると、第２のヒートシンク３４０の内部空間３４６に対流が発生する。このように、内部空間３４６で空気の流入および流出が自然に発生するような放熱構造によって、熱の滞留を防ぎ、積極的に熱を外部へ放出して放熱効率を向上させることができる。
【００４０】
［２−２．変形例］
本実施形態の図５に示す放熱構造では、第２のヒートシンク３４０のフィン３４５は円筒部１４２の内周面１４２ａから中心Ｏに向かって放射状に延びるように配置したが、本発明はかかる例に限定されない。図６に発熱体を基準として基軸Ｃの他側（ｚ軸正方向側）における放熱構造の変形例を示す。図６に示す例では、第２のヒートシンク４４０のフィン４４５を円筒部４２２の内周面４２２ａから一方向に延設している。
【００４１】
具体的には、図６に示すように、円筒部４２２の内周面４２２ａからｙ方向に対向する５対１０個のフィン４４５ａ〜４４５ｊがｘ方向に隣接して延設されている。対向するフィン４４５の長さＬは同一であり、第２のヒートシンク４４０の中心Ｏから離隔するにつれて長さＬが短くなっている。フィン４４５の径方向の長さＬを相違させることで、第２のヒートシンク４４０の中心Ｏを通る内周面４４２ａ間の長さが相違する。例えば、フィン４４５が形成されていない部分であれば内周面４４２ａ間の長さは第２のヒートシンク４４０の直径Ｄとなる。また、フィン４４５が形成されている部分においては、長さＬが最大のフィン４４５ａ、４４５ｂ間の長さｄ１が最小となり、長さＬが最小のフィン４４５ｇ、４４５ｈ間および４４５ｉ、４４５ｊ間の長さｄ２が最大となる。
【００４２】
このように、図６に示す例においても、第２のヒートシンク４４０の内部空間４４６の形状を、中心Ｏを通るｚ軸に平行な平面に対して少なくとも非対称となる場合があるように、不均一に形成する。これにより、第２のヒートシンク４４０の放熱部分によって放熱効率に差が生じ、その結果、放熱の温度分布が不均一となる。そうすると、第２のヒートシンク４４０の内部空間４４６に対流が発生する。このように、内部空間４４６で空気の流入および流出が自然に発生するような放熱構造によって、熱の滞留を防ぎ、積極的に熱を外部へ放出して放熱効率を向上させることができる。
【００４３】
また、図６の第２のヒートシンク４４０の変形例として、図７に示すように第２のヒートシンク５４０の円筒部５４２の内周面５４２ａから一方向に延設されるフィン５４５の長さを、第２のヒートシンク５４０の中心Ｏから離隔するにつれて長さＬが長くなるようにしてもよい。したがって、図７に示す第２のヒートシンク５４０では、フィン５４５が形成されている部分における中心Ｏを通る内周面５４２ａ間の長さが、長さＬが最小のフィン５４５ａ、５４５ｂ間で最大となり（長さｄ１）、長さＬが最大のフィン５４５ｇ、５４５ｈ間および５４５ｉ、５４５ｊ間で最小となる（長さｄ２）。
【００４４】
このように第２のヒートシンク５４０の内部空間５４６の形状を、中心Ｏを通るｚ軸に平行な平面に対して少なくとも非対称となる場合があるように、不均一に形成し、内部空間４４６に対流が発生するようにしてもよい。
【００４５】
以上、本発明の第２の実施形態に係る照明装置の放熱構造について説明した。本実施形態によれば、発熱体を基準として基軸Ｃの他側（ｚ軸正方向側）における放熱構造について、第２のヒートシンク３４０の円筒部３４２の内周面３４２ａから、長さの相違する複数のフィン３４５を設け、内部空間３４６の内周面３４２ａ間の距離を不均一にする。これにより、内部空間３４６に対流が発生し、放熱効率を向上させることができる。
【００４６】
なお、本実施形態では、第２のヒートシンクの平面形状は円形であったが、本発明はかかる例に限定されず、例えば略楕円形や多角形であってもよい。
【００４７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４８】
例えば、上記実施形態では、発光素子を環状に配置した発光素子基板を第１のヒートシンクのフランジ部に載置したが、本発明はかかる例に限定されない。例えば、発光素子を載置した発光素子基板は第２のヒートシンクの外周面に設けてもよい。また、発光素子基板をヒートシンクのフランジ部のフランジ部または本体部に設ける際、図２に示すように複数の発光素子を環状に配置して構成される１つの発光素子群のみを配置してもよく、同心円上に複数の発光素子群を配置してもよい。
【００４９】
また、上記実施形態では、第２のヒートシンクは延設方向に同一径の円が連続する円筒形状であったが、本発明はかかる例に限定されない。例えば、第２のヒートシンクは、開口部側に向かうにつれて内径が大きくなるテーパ形状に形成してもよい。
【符号の説明】
【００５０】
１００    照明装置
１１０    発光素子基板
１１２    発光素子
１２０    第１のヒートシンク
１２２    本体部
１２３    フィン
１２４    フランジ部
１２７    樹脂層
１３０    グローブ部
１４０、２４０、３４０、４４０、５４０    第２のヒートシンク
１４２、２４２、３４２、４４２、５４２    円筒部
１４４、２４４、３４４、４４４、５４４    底部
１５０    金属基板
１６０、２６０    第３のヒートシンク
３４５、４４５、５４５    フィン
【図１】
2013127877.tif 000003
【図２】
2013127877.tif 000004
【図３】
2013127877.tif 000005
【図４】
2013127877.tif 000006
【図５】
2013127877.tif 000007
【図６】
2013127877.tif 000008
【図７】
2013127877.tif 000009